(57)【要約】【課題】コンタクトが小型化されて小さくても、ランスの剛性とばね性を高めることができ、絶縁ハウジングに対する係止保持力が大きくて不測の抜脱を有効に防止できるソケットコンタクト及びソケットコネクタを提供すること。【解決手段】電線２０の端部に接続して、絶縁ハウジング２５の収容室２６に個別に収容されるソケットコンタクト１のコンタクト本体２が、底板部３の両側に側板部４，４を曲げ起こして断面形状凵形に形成され、底板部３から打ち出して形成されたランス１０が、該底板部３の横幅とほぼ等しい幅を有し、かつ、前記底板部３に接続する基端部１１と、中間部位１４の２箇所に屈曲部が設けられ、前記ランス１０の剛性とばね性が高められている。底板部３の先端部分に、コンタクト本体２の横幅とほぼ等しい幅広部１７が設けられている。【選択図】　　　　図４
2004022482.tif 000002
【特許請求の範囲】
【請求項１】
電線の端部に接続して、絶縁ハウジングの収容室に個別に収容されるソケットコンタクトであって、
コンタクト本体が、底板部の両側に側板部を曲げ起こして断面形状凵形に形成され、前記底板部から打ち出して形成されるランスが、該底板部の横幅とほぼ等しい幅を有し、かつ、前記底板部に接続する基端部と、中間部位の２箇所に屈曲部が設けられ、前記ランスの剛性とばね性が高められていることを特徴とするソケットコンタクト。
【請求項２】
前記底板部の先端部分に、前記コンタクト本体の横幅とほぼ等しい幅を有する幅広部が形成されている請求項１記載のソケットコンタクト。
【請求項３】
電線の端部に接続したソケットコンタクトが絶縁ハウジングの収容室に個別に収容されるソケットコネクタであって、
前記ソケットコンタクトのコンタクト本体が、底板部の両側に側板部を曲げ起こして断面形状凵形に形成され、前記底板部から打ち出して形成されるランスが、該底板部の横幅とほぼ等しい幅を有し、かつ、前記底板部に接続する基端部と、中間部位の２箇所に屈曲部が設けられ、前記ランスの剛性とばね性が高められており、
前記絶縁ハウジングの前記収容室の内壁に、前記コンタクト本体の前記側板部が係合する凹溝が設けられていることを特徴とするソケットコネクタ。
【請求項４】
前記底板部の先端部分に、前記コンタクト本体の横幅とほぼ等しい幅を有する幅広部が形成されている請求項３記載のソケットコネクタ。
【発明の詳細な説明】
【０００１】
【発明の属する技術分野】
本発明は、小型で、特に高電圧用コネクタに適したソケットコンタクト及びソケットコネクタに関する。
【０００２】
【従来の技術】
パーソナルコンピュータ等の液晶画面の光源となるバックライトの電源回路に使用される電気コネクタは、小型で、高電圧に対応できることが要求される。このような高電圧用コネクタとして、電線の端部に接続したソケットコンタクトを絶縁ハウジングの収容室に個別に収容し、該ソケットコンタクトの底板部から打ち出したランスを前記絶縁ハウジングに設けた係合孔又は係合突部に係止させて、前記ソケットコンタクトを前記ハウジング内に保持固定したソケットコネクタがある（例えば、特開平１０−１２５３８４号公報、特開２０００−２５２００５号公報参照）。
【０００３】
【発明が解決しようとする課題】
この種のソケットコンタクトに設けられるランスは概して小さく、コネクタの小型化に伴ってソケットコンタクトが小さくなると、ランスの係止保持力が著しく低下する。このため、絶縁ハウジング内に収容したソケットコンタクトに接続している電線に引張りや引き回しなどの外力が作用すると、ソケットコンタクトが不測に絶縁ハウジングから抜脱されるという問題があった。
【０００４】
一方、高電圧用コネクタにおいては、通電時の安全性を確保するため絶縁ハウジング内に収容したソケットコンタクトは確実に保持固定されることが必要不可欠である。
【０００５】
本発明は、上記事情に鑑みてなされたものであり、コンタクトが小型化されて小さくても、ランスの剛性とばね性を高めることができ、絶縁ハウジングに対する係止保持力が大きくて不測の抜脱を有効に防止できるソケットコンタクト及び該ソケットコンタクトを用いたソケットコネクタを提供することを目的としている。
【０００６】
【課題を解決するための手段】
上記目的を達成するために、本発明は、電線の端部に接続して、絶縁ハウジングの収容室に個別に収容されるソケットコンタクトであって、コンタクト本体が、底板部の両側に側板部を曲げ起こして断面形状凵形に形成され、前記底板部から打ち出して形成されるランスが、該底板部の横幅とほぼ等しい幅を有し、かつ、前記底板部に接続する基端部と、中間部位の２箇所に屈曲部が設けられ、前記ランスの剛性とばね性が高められていることを特徴とする。
【０００７】
前記ランスの中間部位に設ける前記屈曲部は、前記ランスの基端部の屈曲部に近い位置に設けることにより、ばね性をより一層高めることができる。
【０００８】
また、本発明によるソケットコネクタは、電線の端部に接続したソケットコンタクトが絶縁ハウジングの収容室に個別に収容されるソケットコネクタであって、前記ソケットコンタクトのコンタクト本体が、底板部の両側に側板部を曲げ起こして断面形状凵形に形成され、前記底板部から打ち出して形成されるランスが、該底板部の横幅とほぼ等しい幅を有し、かつ、前記底板部に接続する基端部と、中間部位の２箇所に屈曲部が設けられ、前記ランスの剛性とばね性が高められており、前記絶縁ハウジングの前記収容室の内壁に、前記コンタクト本体の前記側板部が係合する凹溝が設けられていることを特徴とし、前記収容室内で前記ソケットコンタクトが傾いたり、がた付いて前記ランスの係止が離脱するのを効果的に防止している。
【０００９】
さらに、前記底板部の先端部分に、前記コンタクト本体の横幅とほぼ等しい幅を有する幅広部を設けると、前記収容室内で前記ソケットコンタクトが傾いたり、がた付いて前記ランスの係止が離脱するのをより効果的に防止できる。
【００１０】
【発明の実施の形態】
以下、本発明の好適な実施の形態を図面に基づいて説明する。
【００１１】
図１ないし図４は、本発明によるソケットコンタクト１を示している。該ソケットコンタクト１は導電性金属薄板、例えばリン青銅の薄板をプレス加工して製造され、コンタクト本体２が底板部３の中央部両側に側板部４，４を曲げ起こして断面形状が凵形に形成されている。両側板部４，４の前端に連設した一対の接触ばね片５，５が互いに接近するように傾斜して底板部３の前端近傍まで延び、先端部分５ａ，５ａを外側方へ屈曲して、相手側コネクタのピンコンタクト（図示せず）と嵌合接続する接触部６，６が形成されている。また、底板部３及び両側板部４，４の後方には、Ｕ字形の圧着口輪部７，８が連設されている。口輪部７は後述する電線２０の芯線２１を圧着接続し、口輪部８は電線２０の被覆部２２を圧着接続する。
【００１２】
底板部３から下方へ打ち出して形成されるランス１０は、底板部３の前端側に連続する基端部１１から斜後方へ傾斜して延び、打ち出された端縁１２が後述する絶縁ハウジング２５に係止される構造は従来と同様である。該ランス１０は、図示のように、両側縁１３，１３が側板部４，４の曲げ起こし箇所に切除部９を打ち抜いて形成され、実質的に底板部３の横幅とほぼ等しい幅を有し、従来のこの種ランスに比較して幅広に形成されている。また、該ランス１０は、基端部１１と該基端部１１に近い中間部位１４の２箇所に屈曲部が設けられて、剛性とばね性が高められ、大きな係止保持力を確保している。さらに、ランス１０を打ち出した底板部１３に形成される開口部の側縁１５をパンチなどで押しつぶして突片１６が設けられている。該突片１６は、ランス１０が外力を受けてコンタクト本体２の内側へ落ち込むのを阻止するために設けられるものである。
【００１３】
一方、底板部１３の先端は接触ばね片５，５の先端部分５ａ，５ａ近傍まで延び、該先端部分にコンタクト本体２の横幅とほぼ等しいか、僅かに狭い幅広部１７が形成されている。
【００１４】
図５ないし図１０は、上記構成を有するソケットコンタクト１を使用したソケットコネクタ３５を示している。ソケットコンタクト１に接続する電線２０は、芯線２１が口輪部７に圧着接続されると共に、被覆部２２が口輪部８に圧着接続される。このように電線２０の端部に接続されたソケットコンタクト１は、ナイロンなどの絶縁性プラスチック材料により成形されたコネクタハウジング２５のコンタクト収容室２６に後端開口２７から挿入し、個別に収容してソケットコネクタ３５が構成される。各収容室２６に収容されたコンタクト１は、ランス１０の端縁１２が収容室２６の内側壁面に突設した係止突部２８に係止して抜け出しが防止されると共に、底板部３の幅広部１７の前端縁が収容室２６の前壁２９に当接して挿入方向への抜け出しが防止され、収容室２６内に保持固定される。また、図１０によく示されているように、コンタクト本体２の側板部４，４の上端縁４ａ，４ａが、収容室２６の上側内壁の両端部分に沿って設けられた長手方向へ延びる凹溝３０，３０に係合して、コンタクト本体２ひいてはソケットコンタクト１全体の傾き及びがた付きが防止される。このようにコネクタハウジング２５の収容室２６に収容して保持固定されたソケットコンタクト１は、ランス１０が底板部３とほぼ等しい幅広で、かつ、基端部１１と中間部位１４に屈曲部が設けられ、剛性とばね性が高められているので、電線２０に作用する引張りや引き回しなどの外力によって、ランス１０が係止突部２８から離脱し、ソケットコンタクト１がハウジング２５から抜脱するのを有効に防止している。また、コンタクト本体２の両側板部４，４が凹溝３０，３０に係合すると共に、両側板部４，４と底板部３先端の幅広部１７の両側縁が収容室２６の内側壁面に近接しているので、ソケットコンタクト１が収容室２６内で傾いたり、がた付いて、ランス１０が係止突部２８から離脱し、ソケットコンタクト１が収容室２６から抜脱するのを有効に防止している。したがって、ソケットコンタクト１が誤ってコネクタハウジング２５から抜脱するのが確実に防止できる。
【００１５】
上記構成を有するソケットコネクタ３５は、図示しない相手側コネクタのピンコンタクトを前壁２９に設けた開口３１から挿入して、両接触ばね片５，５間に嵌合し電気的に接続される。
【００１６】
【発明の効果】
以上説明したように、本発明のソケットコンタクトは、小さくても、ランスの剛性とばね性を高めることができ、コネクタハウジングに対するソケットコンタクトの係止保持力が大きくて不測の抜脱を有効に防止することができる。したがって、該ソケットコンタクトを使用してコネクタハウジングに収容保持した本発明のソケットコネクタは、特に小型で、高電圧に対応できることが求められる高電圧用コネクタに適している。
【図面の簡単な説明】
【図１】本発明によるソケットコンタクトの平面図である。
【図２】同上ソケットコンタクトの正面図である。
【図３】本発明によるソケットコンタクトの平面側からみた斜視図である。
【図４】本発明によるソケットコンタクトの底面側からみた斜視図である。
【図５】本発明によるソケットコネクタの平面図である。
【図６】同上要部縦断正面図である。
【図７】同上要部縦断平面図である。
【図８】図７の要部拡大平面図である。
【図９】図５の９−９線に沿う断面拡大図である。
【図１０】図５の１０−１０線に沿う断面拡大図である。
【符号の説明】
１　ソケットコンタクト
２　コンタクト本体
３　底板部
４　側板部
４ａ　上端縁
５　接触ばね片
５ａ　先端部分
６　接触部
７、８　口輪部
９　切除部
１０　ランス
１１　基端部
１２　端縁
１３　両側縁
１４　中間部位
１７　幅広部
２０　電線
２５　コネクタハウジング
２６　コンタクト収容室
２８　係止突部
２９　前壁
３０　凹溝
３５　ソケットコネクタ
【図１】
2004022482.tif 000003
【図２】
2004022482.tif 000004
【図３】
2004022482.tif 000005
【図４】
2004022482.tif 000006
【図５】
2004022482.tif 000007
【図６】
2004022482.tif 000008
【図７】
2004022482.tif 000009
【図８】
2004022482.tif 000010
【図９】
2004022482.tif 000011
【図１０】
2004022482.tif 000012